(57)【要約】通信システムにおいてデータを記録する方法と、少なくとも１つのワイヤレスターミナル(UE)、該ワイヤレスターミナルに接続されて、少なくとも映像データで構成された連続データ流を該ワイヤレスターミナルに与えるビデオカメラ(CAM)、ワイヤレスアクセスネットワーク(RAN)を伴う通信ネットワーク(1)、及び該通信ネットワーク(1)に接続されたデータ記憶手段(MEM1, MEM2)とを備えた通信システムにおいて、上記ワイヤレスターミナル(UE)は、データ流を実質的に瞬時にワイヤレスアクセスネットワーク(RAN)を経て通信ネットワーク(1)へワイヤレスで転送するように構成され、そして上記通信システムは、通信ネットワークに転送されたデータ流を、通信ネットワークに接続されたデータ記憶手段に記憶するように構成された通信システム。
2005506806.tif 000002
【特許請求の範囲】
【請求項１】
少なくとも１つのワイヤレスターミナル、ワイヤレスアクセスネットワークを伴う通信ネットワーク、及び該通信ネットワークに接続されたデータ記憶手段を備えた通信システムにおいてデータを記録するための方法であって、
少なくとも映像データで構成された連続的なデータ流をワイヤレスターミナルに与え、
上記データ流を実質的に瞬時に上記ワイヤレスターミナルから上記ワイヤレスアクセスネットワークを経て上記通信ネットワークへワイヤレスで転送し、そして
上記通信ネットワークに接続された上記データ記憶手段に上記データ流を記憶する、
という段階を備えたことを特徴とする方法。
【請求項２】
上記データ流は、更に、音声データ及び／又は制御データを含む請求項１に記載の方法。
【請求項３】
上記データ流を転送する上記段階は、上記ワイヤレスターミナルと上記ワイヤレスアクセスネットワークとの間のエアインターフェイスを経てデータを送信する前にそれを圧縮する段階を含む請求項１又は２に記載の方法。
【請求項４】
上記データは、少なくともＭＰＥＧ圧縮フォーマット又はＲｅａｌＶｉｄｅｏ圧縮フォーマットに基づいて圧縮される請求項３に記載の方法。
【請求項５】
上記データ流を転送する上記段階は、送信エラーの修正を行えるように、上記ワイヤレスターミナルと上記ワイヤレスアクセスネットワークとの間のエアインターフェイスを経てデータを送信する前にそれを上記ワイヤレスターミナルにバッファする段階を備えた請求項１ないし４のいずれかに記載の方法。
【請求項６】
上記方法は、更に、上記通信ネットワークに接続されたユーザターミナルから上記記憶されたデータを見及び／又は編集することを含む請求項１ないし５のいずれかに記載の方法。
【請求項７】
上記記憶されたデータを見及び／又は編集することは、データを各区分に分割することを含む請求項６に記載の方法。
【請求項８】
上記記憶されたデータを見及び／又は編集することは、上記通信ネットワークに接続されたユーザターミナルに対して１つ以上の区分のデータサンプルを与えて、そのデータサンプルに基づいて上記記憶されたデータを見及び／又は編集することを含む請求項７に記載の方法。
【請求項９】
１つの区分のデータサンプルは、静止画像である請求項８に記載の方法。
【請求項１０】
上記記憶されたデータの１つ以上の区分に対応する１つ以上のリンクが上記ユーザターミナルに与えられる請求項８又は９に記載の方法。
【請求項１１】
上記記憶されたデータの編集は、１つ以上の区分の削除、区分の順序の変更、及び１つ以上の区分の複写、の１つ以上を含む請求項７ないし１０のいずれかに記載の方法。
【請求項１２】
上記記憶されたデータを見及び／又は編集することは、リアルタイムストリーミングプロトコルを使用することにより実行される請求項６ないし１１のいずれかに記載の方法。
【請求項１３】
上記記憶されたデータを見及び／又は編集することは、セッション開始プロトコルを使用することにより実行される請求項６ないし１１のいずれかに記載の方法。
【請求項１４】
少なくとも１つのワイヤレスターミナル(UE)と、該ワイヤレスターミナルに接続されて、少なくとも映像データで構成された連続データ流を該ワイヤレスターミナルに与えるビデオカメラ(CAM)と、ワイヤレスアクセスネットワーク(RAN)を伴う通信ネットワーク(1)と、該通信ネットワーク(1)に接続されたデータ記憶手段(MEM1, MEM2, 70)とを備えた通信システムにおいて、
上記ワイヤレスターミナル(UE)は、上記データ流を実質的に瞬時に上記ワイヤレスアクセスネットワーク(RAN)を経て上記通信ネットワーク(1)へワイヤレスで転送するように構成され、そして
上記通信システムは、上記通信ネットワークに転送されたデータ流をデータ記憶手段に記憶するように構成された、
ことを特徴とする通信システム。
【請求項１５】
上記ビデオカメラ(CAM)により与えられるデータ流は、更に、音声データ及び／又は制御データを含む請求項１４に記載の通信システム。
【請求項１６】
上記ワイヤレスターミナル(UE)は、上記ワイヤレスターミナルとアクセスネットワークとの間のエアインターフェイスを経てデータを送信する前にそれを圧縮するための圧縮手段(20)を備えた請求項１４又は１５に記載の通信システム。
【請求項１７】
上記圧縮手段(20)は、少なくともＭＰＥＧ圧縮フォーマット又はＲｅａｌＶｉｄｅｏ圧縮フォーマットに基づいてデータを圧縮するように構成される請求項１６に記載の通信システム。
【請求項１８】
上記ワイヤレスターミナル(UE)は、送信エラーの修正を行えるように、上記ワイヤレスターミナルと上記ワイヤレスアクセスネットワークとの間のエアインターフェイスを経てデータを送信する前にそれを上記ワイヤレスターミナルにバッファするためのバッファ手段(30)を備えた請求項１４ないし１７のいずれかに記載の通信システム。
【請求項１９】
上記通信ネットワーク(1)は、上記記憶されたデータ流を、上記通信ネットワークに接続されたユーザターミナル(PC1, PC2, UE, 50)へ送信するための手段(MEM1, MEM2, 70)を備えた請求項１４ないし１７のいずれかに記載の通信システム。
【請求項２０】
上記通信ネットワーク(1)は、上記記憶されたデータ流を、上記通信ネットワークに接続されたユーザターミナル(PC1, PC2, UE)により見及び／又は編集できるようにするための手段(MEM1, MEM2, 70)を備えた請求項１４ないし１９のいずれかに記載の通信システム。
【請求項２１】
上記通信システムは、上記記憶されたデータを、そのデータを見及び／又は編集するための区分へと分割するように構成された請求項２０に記載の通信システム。
【請求項２２】
上記通信システムは、上記通信ネットワーク(1)に接続されたユーザターミナル(PC1, PC2, UE, 50)に対して１つ以上の区分のデータサンプルを与えると共に、上記記憶されたデータをそれらデータサンプルに基づいて見及び／又は編集するように構成された請求項２１に記載の通信システム。
【請求項２３】
ある区分のデータサンプルは、静止画像である請求項２２に記載の通信システム。
【請求項２４】
上記通信システムは、上記記憶されたデータの１つ以上の区分に対応する１つ以上のリンクを上記ユーザターミナル(PC1, PC2, UE, 50)に与えるように構成された請求項２２又は２３に記載の通信システム。
【請求項２５】
上記記憶されたデータの編集は、１つ以上の区分の削除、区分の順序の変更、及び１つ以上の区分の複写、の１つ以上を含む請求項２１ないし２４のいずれかに記載の通信システム。
【請求項２６】
上記通信システムは、上記記憶されたデータを見及び／又は編集するためのリアルタイムストリーミングプロトコルを使用するように構成された請求項２０ないし２５のいずれかに記載の通信システム。
【請求項２７】
上記通信システムは、上記記憶されたデータを見及び／又は編集するためのセッション開始プロトコルを使用するように構成された請求項２０ないし２５のいずれかに記載の通信システム。
【請求項２８】
上記通信システムは、上記データ記憶手段(MEM1, MEM2, 70)を上記通信ネットワーク(1)に接続するためのサーバー(60)を備えた請求項２０ないし２５のいずれかに記載の通信システム。
【請求項２９】
上記ワイヤレスアクセスネットワークは、次の形式、即ちＧＳＭ、ＧＰＲＳ、ＥＤＧＥ、ＷＣＤＭＡ、ワイヤレスＩＰ、ブルーツース、ＷＬＡＮの１つ以上に基づいてエアインターフェイスを与える請求項１４ないし２８のいずれかに記載の通信システム。
【請求項３０】
上記データ記憶手段(MEM1, MEM2, 70)は、大量記憶装置を備えた請求項１４ないし２９のいずれかに記載の通信システム。
【請求項３１】
ワイヤレスアクセスネットワーク(RAN)を伴う通信ネットワーク(1)を備えた通信システムのワイヤレスターミナル(UE)であって、ビデオカメラ(CAM)から少なくとも映像データで構成された連続的なデータ流を受信する手段(2)を備えたワイヤレスターミナルにおいて、
上記受信したデータ流を実質的に瞬時に上記ワイヤレスアクセスネットワークを経て上記通信ネットワークへ記憶のためにワイヤレスで転送するための手段(40)を備えたことを特徴とするワイヤレスターミナル(UE)。
【請求項３２】
上記データ流は、更に、音声データ及び／又は制御データを含む請求項３１に記載のワイヤレスターミナル。
【請求項３３】
上記ワイヤレスターミナル(UE)は、上記ワイヤレスターミナルとアクセスネットワークとの間のエアインターフェイスを経てデータを送信する前にそれを圧縮するための圧縮手段(20)を備えた請求項３１又は３２に記載のワイヤレスターミナル。
【請求項３４】
上記圧縮手段(20)は、少なくともＭＰＥＧ圧縮フォーマット又はＲｅａｌＶｉｄｅｏ圧縮フォーマットに基づいてデータを圧縮するように構成される請求項３３に記載のワイヤレスターミナル。
【請求項３５】
上記ワイヤレスターミナル(UE)は、送信エラーの修正を行えるように、上記ワイヤレスターミナルとアクセスネットワークとの間のエアインターフェイスを経てデータを送信する前にそれを上記ワイヤレスターミナルにバッファするためのバッファ手段(30)を備えた請求項３１ないし３４のいずれかに記載のワイヤレスターミナル。
【請求項３６】
上記ワイヤレスターミナル(UE)は、ビデオカメラである請求項３１ないし３５のいずれかに記載のワイヤレスターミナル。
【請求項３７】
上記ワイヤレスターミナル(UE)は、外部ビデオカメラ(CAM)にそのワイヤレスターミナルを接続するための手段(2)を備えた請求項３１ないし３５のいずれかに記載のワイヤレスターミナル。
【請求項３８】
上記ワイヤレスターミナル(UE)は、次の形式、即ちＧＳＭ、ＧＰＲＳ、ＥＤＧＥ、ＷＣＤＭＡ、ワイヤレスＩＰ、ブルーツース、ＷＬＡＮの１つ以上に基づいてエアインターフェイスを使用するように構成された請求項３１ないし３７のいずれかに記載のワイヤレスターミナル。
【請求項３９】
上記ワイヤレスターミナル(UE)は、上記記憶されたデータ流を見及び／又は編集するように構成された請求項３１ないし３８のいずれかに記載のワイヤレスターミナル。
【請求項４０】
上記記憶されたデータは、そのデータを見及び／又は編集するための区分へと分割され、これにより、上記ワイヤレスターミナル(UE)は、１つ以上の区分のデータサンプルを受信し、そして上記記憶されたデータをそれらデータサンプルに基づいて見及び／又は編集するように構成された請求項３９に記載のワイヤレスターミナル。
【請求項４１】
ある区分のデータサンプルは、静止画像である請求項４０に記載のワイヤレスターミナル。
【請求項４２】
上記ワイヤレスターミナルは、上記記憶されたデータを見及び／又は編集するためのリアルタイムストリーミングプロトコルを使用するように構成された請求項３９ないし４１のいずれかに記載のワイヤレスターミナル。
【請求項４３】
上記ワイヤレスターミナルは、上記記憶されたデータを見及び／又は編集するためのセッション開始プロトコルを使用するように構成された請求項３９ないし４１のいずれかに記載のワイヤレスターミナル。
【発明の詳細な説明】
【技術分野】
【０００１】
本発明は、通信システムにおけるデータの記録に係り、より詳細には、通信システムにおいて少なくとも映像データで構成されたデータの連続流を記録することに係る。
【背景技術】
【０００２】
典型的な公知の映像データ記録システムは、映像を電気的信号即ち映像データに変換するＣＣＤカメラのようなビデオカメラと、通常その映像データを記録するためのある種の大量記憶装置であるレコーダとを備えたビデオカムコーダ（カメラ−レコーダ）ユニットである。ビデオカムコーダの大量記憶装置は、例えば、ＤＶＣ（デジタルビデオカセット）のようなカセットテープメモリや、ＤＶＤ（デジタル・バーサティル・ディスク）のようなディスクメモリや、メモリカードである。
【発明の開示】
【発明が解決しようとする課題】
【０００３】
このような公知のビデオカムコーダユニットに関連した欠点の１つは、大量記憶機構が通常カムコーダユニットのサイズ及び重量を増加し、それをより複雑にし、ひいては、潜在的に信頼性の低いものにすることである。更に、メモリカセットやディスクのような大量記憶装置に使用される実際のメモリは、記憶容量に限界があり、それ故、長い記録を行うときには頻繁に交換しなければならない。従って、ビデオカムコーダのユーザは、多数のメモリ断片を携帯しなければならず、しかも、メモリを使い切る可能性がある。又、メモリは、高価でもあり、特に、大量のメモリが必要とされる場合には重大な欠点となる。
【０００４】
又、種々様々なメモリフォーマットが使用されるために、例えば、記憶された映像データを見たり編集したりすべきときに、その映像データを読み取ることができるためには、その映像データを見たり編集したりするのに使用される装置が特定のメモリフォーマットに適合しなければならないので、問題が生じる。公知のビデオカムコーダユニットを、例えばパーソナルコンピュータシステムに接続すべき場合には、特殊なアダプタが通常必要とされる。
【課題を解決するための手段】
【０００５】
従って、本発明の目的は、上記問題を克服するか又は少なくとも軽減するための方法、及びこの方法を実施する装置を提供することである。本発明のこの目的は、独立請求項１、１４及び３１に記載したことを特徴とする方法、通信システム及びワイヤレスターミナルによって達成される。本発明の好ましい実施形態は、従属請求項に開示する。
【０００６】
本発明は、ワイヤレスターミナルをビデオカメラに接続し、そして少なくともビデオカメラにより形成された映像データで構成された連続的なデータ流を実質的に瞬時にワイヤレスターミナルから通信ネットワークへワイヤレスで送信し、これにより、データ流をネットワークにおいてそのネットワークに接続されたメモリに記憶できるようにするという考え方をベースとしている。
【０００７】
本発明により与えられる効果は、通信ネットワークに接続された個別のメモリにデータを記憶できるので、ビデオカメラに大量メモリが必要とされないことである。記憶されたデータは、ネットワークにおいて容易に管理することができ、そして例えば、ネットワークに接続されたパーソナルコンピュータを使用することにより、データを編集することもできる。更に、データのフォーマットは、あるフォーマットから別のフォーマットへ容易に切り換えることができ、そしてデータをネットワークから更に転送することが容易である。又、本発明は、簡単なカメラ構造を可能にすると共に、大きく且つ更に経済的なメモリ容量も可能にする。
【発明を実施するための最良の形態】
【０００８】
以下、添付図面を参照して、本発明の好ましい実施形態を詳細に説明する。
図１は、本発明を実施できる通信システムの最も重要な部分を示す簡単なブロック図であるが、本発明は、図示されたシステムに限定されない。システム要素の構造及び機能は、当業者に明らかであると考えられるので、詳細には説明しない。
【０００９】
図１のシステムは、通信ネットワーク１を備えている。ネットワーク１の主要部分は、ＩＰネットワーク（例えば、インターネット又はイントラネット）のようなバックボーンネットワークＢＢＮや、セルラーネットワーク又はワイヤレスローカルエリアネットワークのような無線アクセスネットワークＲＡＮである。このような通信ネットワーク１の一例は、無線アクセスネットワークＲＡＮが、例えば、ワイドバンドコード分割多重アクセス（ＷＣＤＭＡ）技術により実施された第三世代ＵＭＴＳ（ユニバーサル移動テレコミュニケーションシステム）である。又、通信システムは、例えば、加入者ターミナル又は移動ステーションとしても知られているユーザ装置ＵＥも備え、これは、無線アクセスネットワークＲＡＮにより与えられるエアインターフェイスを経て通信ネットワーク１と通信することができる。バックボーンネットワークＢＢＮは、ネットワーク１を図示されたように公衆交換電話ネットワークＰＳＴＮ及びインターネットのような他のネットワークに接続するネットワーク１の固定インフラストラクチャーを備えている。２つ以上の無線アクセスネットワークＲＡＮをバックボーンネットワークＢＢＮに接続することができ、それらは、通信ネットワーク１に対して異なる形式のエアインターフェイスを与える。本発明は、種々のワイヤレス通信システムにおいて実施することができ、例えば、特定のネットワーク形式に限定されるものではない。通信ネットワーク１を無線アクセスネットワークＲＡＮ及びバックボーンネットワークＢＢＮに分割することは、必ずしも厳密なものではない。しかしながら、これは、本発明の基本的な考え方には無関係である。上述したＵＭＴＳ／ＷＣＤＭＡに加えて、使用可能なワイヤレスアクセスを与える他のワイヤレス通信ネットワークは、ＧＳＭ（移動通信用のグローバルシステム）、ＧＰＲＳ（汎用パケット無線システム）、データ送信レートを高めるためのＥＤＧＥ（エンハンスト・データ・レート・フォー・グローバル・エボリューション）技術を使用するＧＳＭベースの無線システムであるＥＤＧＥ、ワイヤレスＩＰネットワーク、ブルーツース、又はＷＬＡＮ（ワイヤレス・ローカル・エリア・ネットワーク）を含む。又、これら及び他のシステムのいかなる組合せも使用できる。又、当業者であれば、対応する特性を含む他のワイヤレスシステムへ命令を適用することもできよう。
【００１０】
図１は、更に、ユーザ装置ＵＥに接続されたビデオカメラＣＡＭも示す。カメラＣＡＭとユーザ装置ＵＥとの間の接続２は、有線接続でもよいし、赤外線リンクやブルーツースのような無線接続でもよい。更に、カメラＣＡＭ及びユーザ装置ＵＥは、図示されたように個別のユニットでもよいし、或いは１つの物理的エンティティでもよく、即ちユーザ装置ＵＥは、そのハウジング内にビデオカメラＣＡＭを包囲したものでもよい。カメラユニットＣＡＭとユーザ装置ＵＥとの間の接続２は、ビデオカメラＣＡＭが撮影したときに、少なくともビデオカメラＣＡＭにより形成された映像データをユーザ装置ＵＥへ転送するように構成される。又、接続２は、音声及び／又は他のデータをユーザ装置ＵＥからカメラＣＡＭへ転送するようにも構成できる。本発明によれば、通信システムは、ある種の記憶手段、即ちデータを記憶するためのメモリであって通信ネットワーク１に接続されたメモリも備えている。図１は、メモリを通信ネットワーク１に接続する２つの例示的方法を示している。メモリＭＥＭ１は、バックボーンネットワークＢＢＮに直結される。メモリＭＥＭ１は、個別の要素であるか、他のネットワーク要素の一部分である。又、メモリＭＥＭ１は、物理的には２つ以上の部分に分割し、論理的には１つのユニットとして見えるようにすることもできる。メモリＭＥＭ２は、パーソナルコンピュータＰＣ１を経て通信ネットワーク１へ接続され、ＰＣ１は、ＰＳＴＮを経て通信ネットワーク１に接続される。ＰＣ１とＰＳＴＮとの間の接続は、例えば、ＡＤＳＬ（非同期デジタル加入者ライン）であり、これは、通常、１．５から８Ｍビット／ｓのダウンストリームデータレートをサポートし、従って、生の映像データのような映像データの連続的な流れを充分な速度で送信することができる。本発明の基本的な考え方から逸脱せずに、メモリを通信ネットワーク１に接続する多数の他の方法が考えられる。データを記憶するためのメモリＭＥＭ１又はＭＥＭ２は、実際には、映像データで構成された連続的なデータ流を記憶するのに適した任意の形式の大量メモリでよい。メモリＭＥＭ１又はＭＥＭ２は、ＤＶＤ（デジタル・バーサティル・ディスク）又はハードディスクのようなディスクやテープを使用した光学的又は磁気的メモリでもよいし、或いは例えばメモリ回路のような半導体メモリでもよい。本発明は、特定形式のメモリに限定されない。システムに使用されるメモリユニットＭＥＭ１及びＭＥＭ２の数には制限がない。データ流を記憶するのに使用されるメモリＭＥＭ１又はＭＥＭ２が多数のユーザにより共用される場合には、記憶されるデータに、例えば、適当なコードが与えられて、特定データ断片の所有者を後で識別できるのが好ましい。
【００１１】
本発明によれば、ユーザがカメラＣＡＭで撮影を開始し、そしてユーザ装置ＵＥがカメラから連続的なデータ流を受信し始めると、このデータ流は、ユーザ装置と無線アクセスネットワークＲＡＮとの間のエアインターフェイスを経て通信ネットワーク１へ転送される。データ流は、実質的に瞬時に転送され、多量のデータをカメラＣＡＭやユーザ装置ＵＥに記憶する必要はない。通信ネットワーク１に受信されたデータ流は、次いで、ネットワーク１に接続されたメモリＭＥＭ１及びＭＥＭ２の１つ以上に記憶される。例えば、メモリＭＥＭ１が使用される場合には、データ流をネットワーク１内のＭＥＭ１へ直接転送してそこに記憶することができる。メモリＭＥＭ２を使用して記憶する場合には、データ流が通信ネットワーク１からＰＳＴＮを経てパーソナルコンピュータＰＣ１へ転送され、そしてそのコンピュータＰＣ１に接続されたメモリＭＥＭ２に記憶される。データ流は、カメラＣＡＭがデータ流を発生する限り、即ちユーザがカメラで撮影する限り、実質的に連続的に転送されて記憶される。
【００１２】
図２は、カメラ／ユーザ装置の基本的な構造を示す更に詳細なブロック図である。カメラＣＡＭは、少なくとも基本的なカメラ機能を含む基本的なカメラブロック１０を備えている。この基本的なカメラブロック１０は、少なくとも映像信号を発生することのできる装置と、それに接続された制御ユニットのような必要な電子回路とを備えている。基本的なカメラブロック１０は、映像データ、即ち動画映像データの連続流を発生することのできるＣＣＤ（電荷結合装置）又はＣＭＯＳ（相補的金属酸化物半導体）カメラモジュールに基づいたものである。このようなカメラモジュールは、良く知られたもので、容易に入手できる。他の形式の基本的カメラ構造体も使用できる。「動画映像」という語は、一般に、動く映像の印象を与える連続映像又はフレームの流れを指す。映像フレームの所要周波数（フレーム／秒即ちｆｐｓで示す）は、特定の映像資料に依存する。高いフレームレートは、動画映像の見掛けを改善する。いわゆる全動画映像とは、通常、３０ｆｐｓ以上のフレームレートを指す。しかしながら、本発明は、特定のフレームレートに限定されるものではない。又、カメラブロック１０は、音声信号を発生することもでき、従って、カメラブロック１０により発生されるデータ流は、音声データを含むこともできる。更に、カメラブロックは、ネットワーク１におけるデータ流の記憶を制御するための制御機能を含むこともできる。カメラブロック１０からの考えられる制御信号は、カメラブロック１０により発生されるデータ流に制御データを追加することにより、ユーザ装置ＵＥ及び／又はネットワーク１へ送信することができる。基本的カメラブロック１０は、更に、例えば、デジタル信号プロセッサ（ＤＳＰ）により実施される種々の像処理機能も含むことができる。基本的カメラブロック１０により発生された映像及び他のデータは、デジタルフォーマットであるのが好ましい。データ流に含まれる映像フレームの特定データフォーマット又は解像度は、本発明の基本的な考え方とは関わりなく、本発明が適用される特定のシステムに依存する。
【００１３】
カメラブロック１０により発生されたデータ流は、ユーザ装置ＵＥと無線アクセスネットワークＲＡＮとの間のエアインターフェイスを経て送信される前に、圧縮されるのが好ましい。データ流は、エンコーダブロック２０において圧縮される。カメラＣＡＭ及びユーザ装置ＵＥが個別の装置である場合には、エンコーダブロック２０は、これら装置のいずれかに存在する。又、カメラＣＡＭ及びユーザ装置ＵＥの両方がそれら自身のエンコーダブロックを含むことも考えられる。データ流は、既知の又は将来の圧縮方法を使用することにより圧縮することもできる。適当な圧縮方法は、ＭＰＥＧ４のようなＭＰＥＧ（ムービング・ピクチャー・エクスパート・グループ）フォーマット、又はＲｅａｌＶｉｄｅｏバージョン８．０のようなＲｅａｌＶｉｄｅｌフォーマットを含む。圧縮比は、カメラ／ユーザ装置とメモリＭＥＭ１又はＭＥＭ２との間の接続により設定された範囲内でカメラＣＡＭ及びユーザ装置ＵＥのユーザにより選択できるように構成されるのが好ましい。典型的に、ユーザ装置ＵＥと無線アクセスネットワークＲＡＮとの間のエアインターフェイスがこの範囲を設定する。例えば、ＷＣＤＭＡエアインターフェイスは、通常、１２８ｋビット／ｓから２Ｍビット／ｓのデータ速度を与えることができる。カメラブロック１０により発生されるデータ流の元々のデータ速度が１０Ｍビット／ｓである場合には、例えば、１：８０の圧縮比を使用することによりデータ速度を約１２８ｋビット／ｓに減少することができる。又、圧縮比は、データ流に含まれる映像データ、及びもしあれば音声データのクオリティにも影響し、そして使用する圧縮比は、所要のデータクオリティと、ユーザ装置ＵＥと無線アクセスネットワークＲＡＮとの間のエアインターフェイスにより与えられるデータ転送速度とに基づいて選択されるのが好ましい。しかしながら、本発明は、特定のデータ圧縮方法又は圧縮比に何ら限定されない。
【００１４】
送信エラーの修正を行えるようにするために、エンコーダブロック２０により発生された圧縮データ流は、ユーザ装置ＵＥからそれを送信する前にバッファされるのが好ましい。ユーザ装置ＵＥと無線アクセスネットワークＲＡＮとの間の接続が時々切断することがあり、あるデータを再送信すると共に、接続を確立し直さねばならないことがある。使用すべきデータバッファ３０のサイズは、使用する特定のアクセスシステムの信頼性に基づいて選択することができる。バッファされるべきデータ流のデータ速度が例えば１２８ｋビット／ｓであり、そして３０秒のバッファ時間が望まれる場合には、必要なバッファサイズは、約４Ｍビットである。バッファブロック３０は、ユーザ装置ＵＥに配置されるのが好ましい。最終的に、バッファ３０の後に、データ流は、ユーザ装置ＵＥのトランシーバブロック４０により無線アクセスネットワークＲＡＮへ送信され、そして上述したように、メモリＭＥＭ１又はＭＥＭ２に記憶される。
【００１５】
映像データがメモリＭＥＭ２に記憶された場合には、ユーザは、コンピュータＰＣ１を経てデータに容易にアクセスして、例えば、データを見そして編集することができる。メモリＭＥＭ１のようなネットワーク１に存在するメモリを使用して映像データを記憶する場合には、ユーザは、コンピュータＰＣ１からＰＳＴＮを経てデータにアクセスするか、又はネットワーク１に接続されたコンピュータＰＣ２からインターネットを経てデータにアクセスすることができる。又、ネットワーク１に接続された他のターミナル装置を使用して、記憶されたデータにアクセスすることができる。次いで、メモリＭＥＭ１に記憶された映像データは、例えば、編集するか、或いはＰＣ１又はＰＣ２へダウンロードすることができる。通信ネットワーク１は、適当なユーザインターフェイスを備え、これを経てメモリＭＥＭ１にアクセスできると共に、データの編集及びダウンロードや他の同様の機能を行えるのが好ましい。データが圧縮フォーマットで記憶される場合には、圧縮解除した後に使用するのが好ましい。圧縮解除は、例えば、ターミナル装置ＰＣ１又はＰＣ２において行うことができ、ここからデータがアクセスされる。又、ユーザは、メモリＭＥＭ１又はＭＥＭ２から、例えば、インターネットを経て他の当事者へ映像データを送信することもできる。又、記憶されたデータは、当業者に明らかであると考えられる多数の他のやり方で使用することもできる。
【００１６】
カメラユニットＣＡＭ及び／又はユーザ装置ＵＥは、少なくとも、カメラを動作するのに必要な基本的機能、例えば、記録を開始及び停止する機能を制御するための適当な制御手段を備えている。カメラユニットＣＡＭ及びユーザ装置ＵＥが物理的に個別の装置である場合には、これら装置の各々が上記制御手段を含むことができる。更に、カメラユニットＣＡＭ及び／又はユーザ装置ＵＥは、メモリＭＥＭ１又はＭＥＭ２に記録された映像データを見て編集するような更に進歩した機能を含むこともできる。これは、カメラユニットＣＡＭ及び／又はユーザ装置ＵＥに、適当なディスプレイユニットと、メモリＭＥＭ１又はＭＥＭ２からデータを受け取るための手段とを設けることにより達成できる。このようにデータを受け取る手段は、少なくとも、ユーザ装置ＵＥのトランシーバユニット４０を含むと共に、データが圧縮フォーマットで受け取られて圧縮解除する必要がある場合にはデコーダユニットも含む。本発明によれば、カメラユニットＣＡＭに大量メモリは必要とされない。しかしながら、カメラユニットＣＡＭは、カメラ／ユーザ装置と通信ネットワーク１との間のワイヤレス接続が常に使用できるのではないので、例えば、バックアップの目的で大量メモリを備えてもよい。
【００１７】
本発明の一実施形態によれば、メモリＭＥＭ１又はＭＥＭ２における映像データを編集するためにユーザターミナルＵＥ、ＰＣ１又はＰＣ２に対して直接ユーザインターフェイスが設けられる。ユーザターミナルは、無線ターミナル、例えば、図１のユーザ装置ＵＥ、又は有線ターミナル、例えば、コンピュータＰＣ１又はＰＣ２でよい。ユーザインターフェイスは、メモリＭＥＭ１又はＭＥＭ２の映像データにアクセスし、そして全ての映像データをユーザターミナルにダウンロードする必要なくユーザターミナルから他の何らかの方法で編集又は処理することができるようにする。換言すれば、映像データは、編集のために別の位置へ転送する必要なく、メモリＭＥＭ１又はＭＥＭ２において編集することができ、即ち映像データの僅かな部分、例えば、サンプル静止画像（１つ又は複数）しか編集中にユーザターミナルに転送されない。映像データは、編集された後、例えば、別の加入者のような希望の行先へ送付することができる。本発明のこの実施形態の効果は、映像データを受信者へ配送する前に、例えば、映像データのある部分を削除できることである。配送は、受信人への一方向コールでよい。配送は、ＨＴＭＬフォームのようなウェブフォームに基づく解決策も使用でき、この場合、受信人にはプレゼンテーションだけが通知され、次いで、受信人は、発呼者へのセッションを設定することができる。この場合、発呼者が一定数の視聴セッションについて支払うように、課金を逆転することができる。映像流は、フレームのナンバリングを行うことのできるコードを使用するのが好ましい。これらフレームナンバーは、正しいフレームを指示するために編集サーバーに指示される。ＷＳＰ（ワイヤレスセッションプロトコル）又はＨＴＴＰ（ハイパーテキスト転送プロトコル）及びウェブフォームを使用して、タイトルテキスト及び挨拶を与えることができる。編集手順を実施する一例を以下に述べる。
【００１８】
映像データの編集は、例えば、図３に示すように、ＷＷＷ（ワールドワイドウェブ）又はＷＡＰ（ワイヤレスアプリケーションプロトコル）サーバー６０を経てのメモリ７０（例えば、図１のＭＥＭ１又はＭＥＭ２に対応する）への接続に基づくのが好ましい。従って、メモリ７０は、サーバー６０を経て通信ネットワーク１（図３には示さず）へ接続されるのが好ましい。ＷＷＷ又はＷＡＰサーバー６０は、通信ネットワーク１に含ませることもできるし、或いは例えば直接的に又はインターネットを経てそこに接続することもできる。更に、サーバー６０は、個別のネットワーク要素でもよいし、或いは他のネットワーク要素の一部分でもよいし、又はメモリ７０に一体化されてもよい。しかしながら、これは、本発明の基本的な考え方に特に関連しない。従って、ユーザターミナル５０（例えば、図１のＵＥ、ＰＣ１又はＰＣ２）は、サーバー６０をメモリ７０に接続することによりメモリ７０の映像データにアクセスできるのが好ましい。ユーザターミナル５０に設けられたユーザインターフェイス機能は、サーバー６０及び／又はメモリ７０のような１つ又は多数のシステム要素において例えば適当なソフトウェアにより実施することができる。メモリ７０は、メモリを使用できるようにするための適当な制御手段（個別に図示されず）を含むのが好ましい。
【００１９】
ユーザターミナル５０のユーザに与えられるユーザインターフェイスは、図４に示すように、メモリ７０の映像データを、段９０により区分に分割された時間線８０として表わし、段が例えば１０秒の間隔Ｔで現われるようにすることに基づく。図４では、時間線８０は、１０個の段９０に分割される。段の数及び時間区分Ｔの長さは、システム及び／又はユーザの好みで選択できる。時間区分Ｔの長さは、連続する段と段との間で異なってもよい。ユーザターミナルには、要求があった際に、１つ以上のこのような段９０に対応する静止画像（１つ又は複数）が与えられる。全ての段９０の静止画像がユーザターミナルに与えられて、例えば、テーブルのフォーマットでユーザターミナル５０のユーザに示されるのが好ましい。次いで、ユーザは、希望の段９０から始めて好ましくは別の段９０で終わるまで映像データを見るように選択することができる。更に、例えば、削除すべき部分の対応する開始及び終了段９０を与えて、時間線のある部分を削除することにより、映像データを編集することもできる。同様に、映像データの一部分を、ユーザインターフェイスにより与えられるフォルダーへ移動したり、又は当業者に明らかと考えられる多数の他のやり方で処理したりすることができる。
【００２０】
本発明の一実施形態によれば、時間線８０、特に、時間線の段９０は、当該段９０から始まる映像データより成る映像プレゼンテーションへのリンクを構成する。例えば、ユーザターミナル５０から映像データを見るために段が選択されたときには、着信する映像コールが、好ましくは、セッション開始プロトコル（ＳＩＰ）を使用することによりユーザターミナル５０へ形成される。ＳＩＰは、１人以上の参加者を伴うセッションを生成し、変更しそして終了するためのアプリケーション層制御プロトコルである。これらセッションは、インターネットマルチメディア会議、インターネット電話コール及びマルチメディア配布を含む。セッションのメンバーは、マルチキャスト、ユニキャスト関係のメッシュ、或いはそれらの組み合せにより通信することができる。別の態様は、ある段が選択されたときに、ユーザターミナル５０のユーザに、ユーザターミナルへ送信されるＲＴＳＰ（リアルタイムストリーミングプロトコル）流へのリンクを与えることである。ＲＴＳＰは、リアルタイムデータを配送するためのアプリケーションレベルのプロトコルであり、連続メディアの１つ又は多数の時間同期化流を確立しそして制御する。ＲＴＳＰは、音声及び映像データの制御されたオンデマンド配送を可能にするための拡張フレームワークを与える。データのソースは、生データの供給及び記憶されたクリップの両方を含むことができる。時間線８０のある段９０に対応するリンクは、当該段から映像データ流を開始する。ユーザターミナル５０へ送信されるＲＴＳＰ流へのリンクは、選択された段に対応するタイムスタンプを含むのが好ましく、このタイムスタンプは、ＲＴＳＰセッションの形成に使用される。ユーザインターフェイスは、リンクにおけるタイムスタンプを分離してそれをユーザターミナル５０へ配送し、ネットワークに送られるＲＴＳＰ  ＰＬＡＹ（再生）動作に使用できるようにするためのスクリプトを含むのが好ましい。
【００２１】
図５は、本発明の実施形態による映像データの時間線ベースの編集を示すシグナリング図である。先ず、ユーザターミナル５０は、１つ以上の段９０に対応する１つ以上の静止画像をサーバー６０から要求する（５０１）。サーバー６０は、静止画像を要求する要求をメモリ７０へ送信する（５０２）。要求された静止画像、即ちメモリ７０に記憶された映像データの一部分は、好ましくは、メモリ７０においてデコードされ（５０３）、その後、そのデコードされた静止画像がサーバー６０へ送信される（５０４）。サーバー６０は、静止画像及びそれに対応するリンクをタイムスタンプ（ＵＲＬ＋Ｔ１、・・ＵＲＬ＋Ｔｎ）（但し、Ｔ１は、時間線８０における開始時間）と共に、ユーザターミナル５０へ、例えば、ＷＷＷページとして送信し（５０５）、これにより、リンクは、ＷＷＷページにおいて、例えば、テキストリンク又は像リンクとして現われる。
【００２２】
図６は、希望の段９０から映像データの再生を開始するための手順を示すシグナリング図である。先ず、ユーザターミナル５０は、ＲＴＳＰ  ＳＥＴＵＰ要求をＵＲＬと共に送信する（６０１）。ＳＥＴＵＰ要求は、サーバー（図６では、サーバー及びメモリが１つのエンティティとして示されている）が流れに対してリソースを割り当てそしてＲＴＳＰセッションを開始するようにさせる。次いで、サーバーは、要求を確認する（６０２）。映像データの実際の再生が、選択された段から開始すべきであるときには、ユーザターミナルは、それに対応するＰＬＡＹ要求をサーバーへ送信する（６０３）。このＰＬＡＹ要求は、選択された段に対応するタイムスタンプを含むのが好ましい。その結果、映像データ流がサーバー／メモリからユーザターミナルへ配送される（６０４）。
【００２３】
技術の進歩に伴い、本発明の概念は、種々のやり方で実施できることが当業者に明らかであろう。本発明及びその実施形態は、上述した例に限定されるものではなく、特許請求の範囲内で変更し得る。
【図面の簡単な説明】
【００２４】
【図１】本発明の一実施形態に基づく通信システムを示すブロック図である。
【図２】本発明の一実施形態に基づくカメラ／ワイヤレスターミナルを示すブロック図である。
【図３】本発明の一実施形態に基づくユーザターミナル及びメモリの接続を示すブロック図である。
【図４】本発明の一実施形態に基づくデータの時間線表示を示す図である。
【図５】本発明の一実施形態に基づく映像データの時間線ベースの編集を示すシグナリング図である。
【図６】映像データの再生をスタートする手順を示すシグナリング図である。
【図１】
2005506806.tif 000003
【図２】
2005506806.tif 000004
【図３】
2005506806.tif 000005
【図５】
2005506806.tif 000006
【図６】
2005506806.tif 000007
【国際公開パンフレット】
2005506806.tif 000008
2005506806.tif 000009
2005506806.tif 000010
2005506806.tif 000011
2005506806.tif 000012
2005506806.tif 000013
2005506806.tif 000014
2005506806.tif 000015
2005506806.tif 000016
2005506806.tif 000017
2005506806.tif 000018
2005506806.tif 000019
2005506806.tif 000020
2005506806.tif 000021
2005506806.tif 000022
2005506806.tif 000023
2005506806.tif 000024
2005506806.tif 000025
2005506806.tif 000026
2005506806.tif 000027
【手続補正書】
【提出日】平成15年11月3日(2003.11.3)
【手続補正１】
【補正対象書類名】特許請求の範囲
【補正対象項目名】全文
【補正方法】変更
【補正の内容】
【特許請求の範囲】
【請求項１】
少なくとも１つのワイヤレスターミナル、ワイヤレスアクセスネットワークを伴う通信ネットワーク、及び該通信ネットワークに接続されたデータ記憶手段を備えた通信システムにおいてデータを記録するための方法であって、
少なくとも映像データで構成された連続的なデータ流をワイヤレスターミナルに与える段階と、
上記データ流を実質的に瞬時に上記ワイヤレスターミナルから上記ワイヤレスアクセスネットワークを経て上記通信ネットワークへワイヤレスで転送する段階と、
上記通信ネットワークに接続された上記データ記憶手段に上記データ流を記憶する段階と、
上記通信ネットワークに接続されたユーザターミナルから上記記憶されたデータを見及び／又は編集する段階であって、上記記憶されたデータを見及び／又は編集するのは、データを各区分に分割することを含むような段階と、
を備えたことを特徴とする方法。
【請求項２】
上記データ流は、更に、音声データ及び／又は制御データを含む請求項１に記載の方法。
【請求項３】
上記データ流を転送する上記段階は、上記ワイヤレスターミナルと上記ワイヤレスアクセスネットワークとの間のエアインターフェイスを経てデータを送信する前にそれを圧縮する段階を含む請求項１又は２に記載の方法。
【請求項４】
上記データは、少なくともＭＰＥＧ圧縮フォーマット又はＲｅａｌＶｉｄｅｏ圧縮フォーマットに基づいて圧縮される請求項３に記載の方法。
【請求項５】
上記データ流を転送する上記段階は、送信エラーの修正を行えるように、上記ワイヤレスターミナルと上記ワイヤレスアクセスネットワークとの間のエアインターフェイスを経てデータを送信する前にそれを上記ワイヤレスターミナルにバッファする段階を備えた請求項１ないし４のいずれかに記載の方法。
【請求項６】
上記記憶されたデータを見及び／又は編集する段階は、上記通信ネットワークに接続されたユーザターミナルに対して１つ以上の区分のデータサンプルを与えて、そのデータサンプルに基づいて上記記憶されたデータを見及び／又は編集することを含む請求項１ないし５のいずれかに記載の方法。
【請求項７】
１つの区分のデータサンプルは、静止画像である請求項６に記載の方法。
【請求項８】
上記記憶されたデータの１つ以上の区分に対応する１つ以上のリンクが上記ユーザターミナルに与えられる請求項６又は７に記載の方法。
【請求項９】
上記記憶されたデータの編集は、１つ以上の区分の削除、区分の順序の変更、及び１つ以上の区分の複写、の１つ以上を含む請求項１ないし８のいずれかに記載の方法。
【請求項１０】
上記記憶されたデータを見及び／又は編集することは、リアルタイムストリーミングプロトコルを使用することにより実行される請求項１ないし９のいずれかに記載の方法。
【請求項１１】
上記記憶されたデータを見及び／又は編集することは、セッション開始プロトコルを使用することにより実行される請求項１ないし９のいずれかに記載の方法。
【請求項１２】
少なくとも１つのワイヤレスターミナル(UE)と、該ワイヤレスターミナルに接続されて、少なくとも映像データで構成された連続的なデータ流を該ワイヤレスターミナルに与えるビデオカメラ(CAM)と、ワイヤレスアクセスネットワーク(RAN)を伴う通信ネットワーク(1)と、該通信ネットワーク(1)に接続されたデータ記憶手段(MEM1, MEM2, 70)とを備えた通信システムにおいて、
上記ワイヤレスターミナル(UE)は、上記データ流を実質的に瞬時に上記ワイヤレスアクセスネットワーク(RAN)を経て上記通信ネットワーク(1)へワイヤレスで転送するように構成され、
上記通信システムは、上記通信ネットワークに転送されたデータ流を上記データ記憶手段に記憶するように構成され、そして
上記通信ネットワーク(1)は、上記記憶されたデータ流を、上記通信ネットワークに接続されたユーザターミナル(PC1, PC2, UE, 50)により見及び／又は編集できるようにするための手段(MEM1, MEM2, 70)を備え、これにより、上記通信システムは、上記記憶されたデータを、そのデータを見及び／又は編集するための区分へと分割するように構成されたことを特徴とする通信システム。
【請求項１３】
上記ビデオカメラ(CAM)により与えられるデータ流は、更に、音声データ及び／又は制御データを含む請求項１２に記載の通信システム。
【請求項１４】
上記ワイヤレスターミナル(UE)は、上記ワイヤレスターミナルとアクセスネットワークとの間のエアインターフェイスを経てデータを送信する前にそれを圧縮するための圧縮手段(20)を備えた請求項１２又は１３に記載の通信システム。
【請求項１５】
上記圧縮手段(20)は、少なくともＭＰＥＧ圧縮フォーマット又はＲｅａｌＶｉｄｅｏ圧縮フォーマットに基づいてデータを圧縮するように構成される請求項１４に記載の通信システム。
【請求項１６】
上記ワイヤレスターミナル(UE)は、送信エラーの修正を行えるように、上記ワイヤレスターミナルと上記ワイヤレスアクセスネットワークとの間のエアインターフェイスを経てデータを送信する前にそれを上記ワイヤレスターミナルにバッファするためのバッファ手段(30)を備えた請求項１２ないし１５のいずれかに記載の通信システム。
【請求項１７】
上記通信ネットワーク(1)は、上記記憶されたデータ流を、上記通信ネットワークに接続されたユーザターミナル(PC1, PC2, UE, 50)へ送信するための手段(MEM1, MEM2, 70)を備えた請求項１２ないし１５のいずれかに記載の通信システム。
【請求項１８】
上記通信システムは、上記通信ネットワーク(1)に接続されたユーザターミナル(PC1, PC2, UE, 50)に対して１つ以上の区分のデータサンプルを与えると共に、上記記憶されたデータをそれらデータサンプルに基づいて見及び／又は編集するように構成された請求項１２ないし１７のいずれかに記載の通信システム。
【請求項１９】
ある区分のデータサンプルは、静止画像である請求項１８に記載の通信システム。
【請求項２０】
上記通信システムは、上記記憶されたデータの１つ以上の区分に対応する１つ以上のリンクを上記ユーザターミナル(PC1, PC2, UE, 50)に与えるように構成された請求項１８又は１９に記載の通信システム。
【請求項２１】
上記記憶されたデータの編集は、１つ以上の区分の削除、区分の順序の変更、及び１つ以上の区分の複写、の１つ以上を含む請求項１２ないし２０のいずれかに記載の通信システム。
【請求項２２】
上記通信システムは、上記記憶されたデータを見及び／又は編集するためのリアルタイムストリーミングプロトコルを使用するように構成された請求項１２ないし２１のいずれかに記載の通信システム。
【請求項２３】
上記通信システムは、上記記憶されたデータを見及び／又は編集するためのセッション開始プロトコルを使用するように構成された請求項１２ないし２１のいずれかに記載の通信システム。
【請求項２４】
上記通信システムは、上記データ記憶手段(MEM1, MEM2, 70)を上記通信ネットワーク(1)に接続するためのサーバー(60)を備えた請求項１２ないし２１のいずれかに記載の通信システム。
【請求項２５】
上記ワイヤレスアクセスネットワークは、次の形式、即ちＧＳＭ、ＧＰＲＳ、ＥＤＧＥ、ＷＣＤＭＡ、ワイヤレスＩＰ、ブルーツース、ＷＬＡＮの１つ以上に基づいてエアインターフェイスを与える請求項１２ないし２４のいずれかに記載の通信システム。
【請求項２６】
上記データ記憶手段(MEM1, MEM2, 70)は、大量記憶装置を備えた請求項１２ないし２５のいずれかに記載の通信システム。
【請求項２７】
ワイヤレスアクセスネットワーク(RAN)を伴う通信ネットワーク(1)を備えた通信システムのワイヤレスターミナル(UE)であって、ビデオカメラ(CAM)から少なくとも映像データで構成された連続的なデータ流を受信する手段(2)を備えたワイヤレスターミナルにおいて、
上記ワイヤレスターミナル(UE)は、上記受信したデータ流を実質的に瞬時に上記ワイヤレスアクセスネットワークを経て上記通信ネットワークへ記憶のためにワイヤレスで転送するための手段(40)を備え、そして
上記ワイヤレスターミナル(UE)は、上記記憶されたデータ流を見及び／又は編集するように構成され、上記記憶されたデータが、そのデータを見及び／又は編集するための区分へと分割されたときに、上記ワイヤレスターミナル(UE)は、１つ以上の区分のデータサンプルを受信し、そして上記記憶されたデータをそれらデータサンプルに基づいて見及び／又は編集するように構成されたことを特徴とするワイヤレスターミナル。
【請求項２８】
上記データ流は、更に、音声データ及び／又は制御データを含む請求項２７に記載のワイヤレスターミナル。
【請求項２９】
上記ワイヤレスターミナル(UE)は、上記ワイヤレスターミナルとアクセスネットワークとの間のエアインターフェイスを経てデータを送信する前にそれを圧縮するための圧縮手段(20)を備えた請求項２７又は２８に記載のワイヤレスターミナル。
【請求項３０】
上記圧縮手段(20)は、少なくともＭＰＥＧ圧縮フォーマット又はＲｅａｌＶｉｄｅｏ圧縮フォーマットに基づいてデータを圧縮するように構成される請求項２９に記載のワイヤレスターミナル。
【請求項３１】
上記ワイヤレスターミナル(UE)は、送信エラーの修正を行えるように、上記ワイヤレスターミナルとアクセスネットワークとの間のエアインターフェイスを経てデータを送信する前にそれを上記ワイヤレスターミナルにバッファするためのバッファ手段(30)を備えた請求項２７ないし３０のいずれかに記載のワイヤレスターミナル。
【請求項３２】
上記ワイヤレスターミナル(UE)は、ビデオカメラである請求項２７ないし３１のいずれかに記載のワイヤレスターミナル。
【請求項３３】
上記ワイヤレスターミナル(UE)は、外部ビデオカメラ(CAM)にそのワイヤレスターミナルを接続するための手段(2)を備えた請求項２７ないし３１のいずれかに記載のワイヤレスターミナル。
【請求項３４】
上記ワイヤレスターミナル(UE)は、次の形式、即ちＧＳＭ、ＧＰＲＳ、ＥＤＧＥ、ＷＣＤＭＡ、ワイヤレスＩＰ、ブルーツース、ＷＬＡＮの１つ以上に基づいてエアインターフェイスを使用するように構成された請求項２７ないし３３のいずれかに記載のワイヤレスターミナル。
【請求項３５】
ある区分のデータサンプルは、静止画像である請求項２７ないし３４のいずれかに記載のワイヤレスターミナル。
【請求項３６】
上記ワイヤレスターミナルは、上記記憶されたデータを見及び／又は編集するためのリアルタイムストリーミングプロトコルを使用するように構成された請求項２７ないし３５のいずれかに記載のワイヤレスターミナル。
【請求項３７】
上記ワイヤレスターミナルは、上記記憶されたデータを見及び／又は編集するためのセッション開始プロトコルを使用するように構成された請求項２７ないし３５のいずれかに記載のワイヤレスターミナル。
【国際調査報告】
2005506806.tif 000028
2005506806.tif 000029
2005506806.tif 000030